(57)【要約】      （修正有）【課題】障子を枠内に納めた状態でクレセント受けの位置調整を行え、片引き障子に適用するに好適な装置を提供する。【解決手段】障子召合せ框６の屋内面側構成片６ａに、係合溝７内において止着した裏板８と屋内面側構成片６ａとの間に障子見付け方向に移動自在に係合部片１ｃを嵌入させたクレセント受け１に、召合せ框６の外側面構成片６ｂに相対する接続部片１ｂを設ける。接続部片１ｂと外側面構成片６ｂとの間に、裏板８に設けた取付け部片８ｂを介在させて重合させる。また、外側面構成片６ｂを通じて外部から締付け操作可能に召合せ框６内に装入した一対のねじの一方１８を、取付け部片８ｂに設けたねじ孔１０に螺合挿通させて接続部片１ｂに接触させる一方、他の一方のねじ１７を取付け部片８ｂに設けた透孔１０´を通じて接続部片１ｂに設けたねじ孔１４に螺合する。【選択図】図４
2007315070.tif 000002
【特許請求の範囲】
【請求項１】
ガラスパネルの係合溝を構成する、障子召合せ框の屋内面側構成片に、裏板を前記係合溝内において止着し、該裏板にクレセント受けを障子見付け方向に位置調整自在に組付けたクレセント受けの取付け装置において、前記裏板に案内させて移動させる前記クレセント受けに、前記召合せ框の外側面構成片に相対する接続部片を設け、この接続部片と前記外側面構成片との間に、前記裏板に設けた取付け部片を介在させて重合させると共に、前記外側面構成片を通じて外部から締付け操作可能に召合せ框内に装入した一対のねじの一方を、前記取付け部片に設けたねじ孔に螺合挿通させて前記接続部片に接触させる一方、他の一方の前記ねじを前記取付け部片に設けた透孔を通じて前記接続部片に設けたねじ孔に螺合した、クレセント受けの取付け装置。
【発明の詳細な説明】
【技術分野】
【０００１】
本発明は、ガラスパネルの係合溝を構成する、障子召合せ框の屋内面側構成片に、前記係合溝内において止着した裏板を利用してクレセント受けを前記召合せ框に取付ける、クレセント受けの取付け装置に関するものである。
【背景技術】
【０００２】
ガラスパネルの係合溝を構成する、召合せ框の構成片に組付けた裏板と前記構成片との間にクレセント受けを挟持させ、クレセントとの関係でクレセント受けの位置調整をした後に、係合溝の前記構成片側から見込み方向にしてねじを螺合、締付けてクレセント受けを前記構成片に固着する構造のものがある（例えば、特許文献１）。
【０００３】
【特許文献１】実開昭５５−５１９４６号公報
【発明の開示】
【発明が解決しようとする課題】
【０００４】
前記従来の取付け装置によれば、召合せ框に見込み方向に螺合したねじを操作してクレセント受けの位置調整を行う構造のため、例えば、片引き障子の場合は、建込み時に、前記召合せ框が戸枠側の方立に見込み方向に重なり合うため、ねじの締付け操作ができないことになり、このため、当該障子を枠外に取り外す必要があり、重量の嵩む障子には、煩雑で、非常に困難な作業となる。
【０００５】
本発明は斯様な従来例の欠点に着目して、建込んだ状態（障子を枠内に納めた状態）でクレセント受けの位置調整を行え、障子を枠外に取り外す必要のない、殊に、片引き障子に適用するに好適なクレセントの取付け装置を提供することを目的として創案したものである。
【課題を解決するための手段】
【０００６】
ガラスパネルの係合溝を構成する、障子召合せ框の屋内面側構成片に、裏板を前記係合溝内において止着し、該裏板にクレセント受けを障子見付け方向に位置調整自在に組付けたクレセント受けの取付け装置において、前記裏板に案内させて移動させる前記クレセント受けに、前記召合せ框の外側面構成片に相対する接続部片を設け、この接続部片と前記外側面構成片との間に、前記裏板に設けた取付け部片を介在させて重合させると共に、前記外側面構成片を通じて外部から締付け操作可能に召合せ框内に装入した一対のねじの一方を、前記取付け部片に設けたねじ孔に螺合挿通させて前記接続部片に接触させる一方、他の一方の前記ねじを前記取付け部片に設けた透孔を通じて前記接続部片に設けたねじ孔に螺合した、構成とするのである。
【発明の効果】
【０００７】
本発明によれば、他の一方のねじを廻すと、該ねじはクレセント受け側の接続部片のねじ孔に螺合しているので、クレセント受けは該ねじの回動方向に従って障子見付け方向に進退し、クレセントの掛け金に対応する適正位置に配することができ、適正位置に配した状態で一方のねじを廻して締め付けると、該一方のねじは裏板側の取付け部片のねじ孔に螺合してあるので、該ねじ孔より突出した先端は取付け部片に圧接し、前記の適正位置を維持させることができる。
【０００８】
従って、本発明によれば、召合せ框に装置したねじを障子見付け方向に操作してクレセント受けの位置調整を行うことができるものであるから、障子をサッシ枠外に取り外す手間を省略してクレセント受けの位置調整を行うことができ、大型化して重量の嵩む片引き障子に適用するに好適である。
【実施例】
【０００９】
図面は本発明に係るクレセント受けの取付け装置の一実施例を示し、図１は横断面図、図２は図１の一部欠截正面図、図３は図２のａ−ａ線断面図、図４は分解斜視図、図５は片引き窓の略示正面図である。
【００１０】
図示Ａは、本発明を適用した片引き窓で、片引き窓Ａは、四方枠組みしたサッシ枠２の見付け方向中央部に方立２ａを装置し、方立２ａを境にしたサッシ枠２の一方側の開口部にガラスパネル３´を装置して嵌め殺しと成し、他の一方側を片引き障子４で開閉するように構成したもので、実施例は、この片引き窓Ａの前記方立２ａ側に設けたクレセント５の掛け金５ａが円滑に係離するように調整してクレセント受け１を前記障子４の召合せ框６に取付けるようにしたものである。
【００１１】
クレセント受け１は、障子４のガラスパネル３の係合溝７を構成する、召合せ框６の屋内面側構成片６ａに前記係合溝７内において止着したクレセント受け裏板８を介して前記召合せ框６に組付けてある。
【００１２】
前記裏板８は、障子見込み方向のねじ孔９を設けた止着部片８ａの、前記召合せ框６の外側面構成片６ｂ側の一端に、ねじ孔１０と透孔１０´を上下に並べて設けた取付け部片８ｂを屋外方向に突設する一方、止着部片８ａの上下両端の、障子見付け方向の中間部にはＬ字形の案内部片８ｃ，８ｃを屋外方向にして突設して構成し、召合せ框６の前記屋内面側構成片６ａに設けた透孔１１を通じて屋内側から前記係合溝７内に突出させた止着ねじ１２の先端を、前記ねじ孔９に螺合、締付けて止着部片８ａにおいて召合せ框６に固着したものである。
【００１３】
この裏板８の止着部片８ａの屋外側面側に主体部片１ａの基部１ａ´を重ね合わせるようにして前記クレセント受け１を前記裏板８を介して召合せ框６（の屋内面側構成片６ａ）に組付けてあり、クレセント受け１は、裏板８の止着部片８ａに設けた前記ねじ孔９と一致する、障子見付け方向に長い長孔１３を設けた主体部片基部１ａ´の自由端側の、前記召合せ框６の外側面構成片６ｂ側の一端に、止着部片８ａに前記取付け部片８ｂを連設したと同様に、屋外方向にして突出させて接続部片１ｂを設け、該接続部片１ｂには、裏板８の取付け部片８ｂ側の透孔１０´と対応する位置にしてねじ孔１４を設け、また、前記基部１ａ´の上下両端側には、主体部片１ａから舌状にして召合せ框６の外側面構成片６ｂ方向に延び、しかも、前記基部１ａ´との関係で屋内方向に段差状にして突出するＬ字形の係合部片１ｃ，１ｃを設け、更に、主体部片１ａの、前記基部１ａ´に対応する先端側を屋内方向に折り返すようにして受部片１ｄ（クレセント５の掛け金５ａを掛止する）を設けて構成したものである。
【００１４】
このクレセント受け１は上下の係合部片１ｃ，１ｃを、裏板８の前記案内部片８ｃと召合せ框６の前記屋内面側構成片６ａとの間の間隙ａ内に狭挿させ（調整時に発生するクレセント受け１の回転を防止する機能を期待できる）、かつ、主体部片基部１ａ´に設けた長孔１３に裏板８の止着部片８ａを前記構成片６ａに止着した前記止着ねじ１２の先端を係合するようにして（この結果、クレセント受け１の位置調整時の移動はこの長孔１３の径の範囲に規制される）、止着ねじ１２で屋内面側構成片６ａにおいて召合せ框６に止着した裏板８に組合わせ、召合せ框６の、係合溝７の、底壁部片６ｃに相対する前記外側面構成片６ｂに設けた窓孔１６を通して（なお、実施例では底壁部片６ｃの一部を切り欠いて通し孔１６´を設け、該孔１６´に裏板８の一部を係合させてある）、前記透孔１０´を貫通させた調整ねじ１７の先端をねじ孔１４に螺合し、かつ、透孔１０´の上方に位置するねじ孔１０に前記窓孔１６を通じて召合せ框６に装入して螺合した定置ねじ１８の先端を、裏板８側の取付け部片８ｂの内側にして相対する、クレセント受け１側の接続部片１ｂの外端に接するようにして裏板８に組付け、屋内面側構成片６ａの係合溝７開口端を構成する折返し部６ａ´に設けた切欠１９を通じて主体部片１ａの先端側に設けた受部片１ｄ（掛け金５ａを掛止する）を係合溝７外部に配設したものである。
【００１５】
クレセント受け１と裏板８を斯様に組付けた障子４をサッシ枠２に組込んで、窓孔１６を通じて工具を挿し込んで、定置ねじ１８と調整ねじ１７を適量緩め、調整ねじ１７の操作によって、方立２ａ側のクレセント５の掛け金５ａと一致する位置にクレセント受け１（受部片１ｄ）を配し、定置ねじ１８を操作してその先端をクレセント受け１側の接続部片１ｂに圧接させることによりクレセント受け１の位置調整を行うことができ、これらの操作は、外部に露出した召合せ框６の外側面構成片６ｂから召合せ框６の見付け方向に挿入する工具の操作によって行われる。
【００１６】
なお、定置ねじ１８と調整ねじ１７の上下の配置は、設計条件により選択すれば良く、また、調整ねじ１７の上下に、定置ねじ１８，１８を配置しても良い。
【図面の簡単な説明】
【００１７】
【図１】横断面図。
【図２】図１の一部欠截正面図。
【図３】図２のａ−ａ線断面図。
【図４】分解斜視図。
【図５】片引き窓の略示正面図。
【符号の説明】
【００１８】
１          クレセント受け
１ｂ        接続部片
３          ガラスパネル
６          召合せ框
６ａ        屋内面側構成片
６ｂ        外側面構成片
７          係合溝
８          裏板
８ｂ        取付け部片
１０        ねじ孔
１０´      透孔
１７        調整ねじ
１８        定置ねじ
【図１】
2007315070.tif 000003
【図２】
2007315070.tif 000004
【図３】
2007315070.tif 000005
【図４】
2007315070.tif 000006
【図５】
2007315070.tif 000007